(57)【要約】 【課題】  プラントから排出される排ガス及び又は排水に含まれる化学物質の排出量及び又は含有量を測定し、この化学物質の排出量及び又は含有量の最大値を手作業により抽出して報告書を作成するため、多大な作業日数を要する課題があった。【解決手段】  プラントから排出される排ガス及び又は排水に含まれる化学物質の排出量及び又は含有量を自動測定する化学物質測定手段１と、測定した前記化学物質の排出量及び又は含有量を記憶する記憶手段２と、所定の期間内における前記化学物質の排出量及び又は含有量の最大値を抽出する最大値抽出手段３と、抽出した前記化学物質の排出量及び又は含有量の最大値を報告する報告書を作成する報告書作成手段４とからなる報告書自動作成システム。【選択図】    図１
2007034453.tif 000002
【特許請求の範囲】
【請求項１】
プラントから排出される排ガス及び又は排水に含まれる化学物質の排出量及び又は含有量を自動測定する化学物質測定手段と、測定した前記化学物質の排出量及び又は含有量を記憶する記憶手段と、所定の期間内における前記化学物質の排出量及び又は含有量の最大値を抽出する最大値抽出手段と、抽出した前記化学物質の排出量及び又は含有量の最大値を報告する報告書を作成する報告書作成手段とからなる報告書自動作成システム。
【請求項２】
前記記憶手段が、前記化学物質の排出量及び又は含有量と関連付けてプラントの出力を記憶するようにした請求項１に記載の報告書自動作成システム。
【請求項３】
所定の期間内における前記化学物質の排出量及び又は含有量の平均値を算出する平均値算出手段を備えた請求項１又は２に記載の報告書自動作成システム。
【請求項４】
前記記憶手段が、手分析によって測定した前記化学物質の排出量及び又は含有量を記憶するようにした請求項１乃至３の何れかに記載の報告書自動作成システム。
【請求項５】
前記報告書を測定対象に対応した様式で出力する報告書出力手段を備えた請求項１乃至４の何れかに記載の報告書自動作成システム。
【請求項６】
作成された報告書を承認者端末に提示する報告書提示手段と、前記報告書について承認者の承認を受け付ける承認受付手段を備えた請求項１乃至５の何れかに記載の報告書自動作成システム。
【発明の詳細な説明】
【技術分野】
【０００１】
本発明は、プラントから排出される排ガス及び又は排水に含まれる化学物質の排出量及び又は含有量の最大値を報告するための報告書を作成する報告書自動作成システムに関する。
【背景技術】
【０００２】
工場及び事業場は、プラントから排出される排ガス又は排水に含まれる化学物質について、工場及び事業場ごとに自治体と締結する公害防止協定により化学物質の総量又は濃度が規制されている。事業主は、この公害防止協定に基づいて、プラントから排出される排ガス又は排水に含まれる化学物質の総量又は濃度を測定し、化学物質の総量又は濃度の最大値を自治体に定期的に報告している。
【発明の開示】
【発明が解決しようとする課題】
【０００３】
従来、公害防止協定に基づく報告書の作成は、プラントから排出される化学物質の総量又は濃度を自動測定し記録した環境監視記録計チャートから手作業により月間の最大値の読み取りを行い、読み取った最大値を報告書に記載していた。また、排水中に含まれる化学物質の含有量の測定等は、外部の測定機関に測定を委託する場合があり、測定機関による手分析の測定記録から最大値を読み取って報告書に記載していた。このため、報告書の作成に数日程度を要し、多大な工数がかかるという課題があった。
【課題を解決するための手段】
【０００４】
そこで、本発明は、上記課題を解決するために、プラントから排出される排ガス及び又は排水に含まれる化学物質の排出量及び又は含有量を自動測定する化学物質測定手段と、測定した前記化学物質の排出量及び又は含有量を記憶する記憶手段と、所定の期間内における前記化学物質の排出量及び又は含有量の最大値を抽出する最大値抽出手段と、抽出した前記化学物質の排出量及び又は含有量の最大値を報告する報告書を作成する報告書作成手段とからなる報告書自動作成システムを提供するものである。
【０００５】
また、本発明は、前記記憶手段が、前記化学物質の排出量及び又は含有量と関連付けてプラントの出力を記憶するようにした請求項１に記載の報告書自動作成システムを提供するものである。
【０００６】
また、本発明は、所定の期間内における前記化学物質の排出量及び又は含有量の平均値を算出する平均値算出手段を備えた請求項１又は２に記載の報告書自動作成システムを提供するものである。
【０００７】
また、本発明は、前記記憶手段が、手分析によって測定した前記化学物質の排出量及び又は含有量を記憶するようにした請求項１乃至３の何れかに記載の報告書自動作成システムを提供するものである。
【０００８】
また、本発明は、前記報告書を測定対象に対応した様式で出力する報告書出力手段を備えた請求項１乃至４の何れかに記載の報告書自動作成システムを提供するものである。
【０００９】
また、本発明は、作成された報告書を承認者端末に提示する報告書提示手段と、前記報告書について承認者の承認を受け付ける承認受付手段を備えた請求項１乃至５の何れかに記載の報告書自動作成システムを提供するものである。
【発明の効果】
【００１０】
本発明に係る報告書自動作成システムによれば、プラントから排出される排ガス及び又は排水に含まれる化学物質の排出量及び又は含有量を自動測定する化学物質測定手段と、測定した前記化学物質の排出量及び又は含有量を記憶する記憶手段と、所定の期間内における前記化学物質の排出量及び又は含有量の最大値を抽出する最大値抽出手段と、抽出した前記化学物質の排出量及び又は含有量の最大値を報告する報告書を作成する報告書作成手段とからなる構成を有することにより、公害防止協定等に基づいて報告が必要な化学物質の排出量及び又は含有量の最大値を記憶手段から自動的に抽出して報告書を作成することができ、報告書の作成にかかる工数を大幅に低減することができる効果がある。
【００１１】
また、本発明は、前記記憶手段が、前記化学物質の排出量及び又は含有量と関連付けてプラントの出力を記憶するようにした請求項１に記載の構成を有することにより、化学物質の排出量及び又は含有量の最大値を測定した時におけるプラントの出力を報告書に自動的に記載することができる効果がある。
【００１２】
また、本発明は、所定の期間内における前記化学物質の排出量及び又は含有量の平均値を算出する平均値算出手段を備えた請求項１又は２に記載の構成を有することにより、記憶手段に記憶された化学物質の排出量及び又は含有量から所定の期間内における平均値を算出して報告書に自動的に記載することができる効果がある。
【００１３】
また、本発明は、前記記憶手段が、手分析によって測定した前記化学物質の排出量及び又は含有量を記憶するようにした請求項１乃至３の何れかに記載の構成を有することにより、手分析によって測定した化学物質の排出量及び又は含有量の最大値も記憶手段から自動的に抽出して報告書を作成することができ、報告書の作成にかかる工数を低減することができる効果がある。
【００１４】
また、本発明は、前記報告書を測定対象に対応した様式で出力する報告書出力手段を備えた請求項１乃至４の何れかに記載の構成を有することにより、複数の測定対象に対応した様式で報告書を自動的に出力することができる効果がある。
【００１５】
また、本発明は、作成された報告書を承認者端末に提示する報告書提示手段と、前記報告書について承認者の承認を受け付ける承認受付手段を備えた請求項１乃至５の何れかに記載の構成を有することにより、報告書の承認が必要な承認者に自動的に報告書を提示して承認を受け付けることができ、報告書の作成から承認までの工数を低減することができる効果がある。
【発明を実施するための最良の形態】
【００１６】
本発明の実施の形態を図示する実施例に基づいて説明する。
本発明に係る報告書自動作成システムは、プラントから排出される排ガス及び又は排水に含まれる化学物質の排出量及び又は含有量を自動測定する化学物質測定手段１と、測定した前記化学物質の排出量及び又は含有量を記憶する記憶手段２と、所定の期間内における前記化学物質の排出量及び又は含有量の最大値を抽出する最大値抽出手段３と、抽出した前記化学物質の排出量及び又は含有量の最大値を報告する報告書を作成する報告書作成手段４とから構成してある。
【実施例１】
【００１７】
図１に示す実施例において、プラントは火力発電所における発電プラントであり、化学物質測定手段１は、発電プラントの排ガス部に設けた排ガス測定装置１１と、発電プラントの排水部に設けた排水測定装置１２とから構成してある。排ガス測定装置１１は、発電プラントから排出される排ガスに含まれる硫黄酸化物の排出量、窒素酸化物の排出量と濃度等の化学物質の排出量及び含有量を自動的に測定することができるようにしてある。排水測定装置１２は、発電プラントから排出される排水中に含まれる残留塩素濃度等の化学物質の排出量及び含有量と、取水と排水の温度差を自動的に測定することができるようにしてある。
【００１８】
図１に示す実施例において、１０は発電プラントの制御を行うユニット計算機であり、記憶手段２と、最大値抽出手段３と、平均値算出手段６と、報告書作成手段４と、報告書提示手段７と、承認受付手段９を備えている。
【００１９】
記憶手段２は、化学物質測定手段１が測定した化学物質の排出量及び含有量を測定対象毎に時系列データとして自動的に記憶することができるようにしてある。また、記憶手段２は、ユニット計算機１０が制御する発電プラントの出力を時系列データとして自動的に記憶することができるようにしてあり、化学物質の排出量及び含有量と関連付けてプラントの出力を記憶することができるように構成してある。
また、記憶手段２は、ユニット計算機１０に接続した端末から化学物質の排出量及び含有量を入力することができるようにしてあり、ばいじん排出濃度、排水のＣＯＤ（化学的酸素要求量）・ＳＳ（浮遊物質量）・弗素含有量等の手分析によって測定した化学物質の排出量及び含有量を記憶することができるように構成してある。
【００２０】
図１に示す実施例において、最大値抽出手段３は、記憶手段２に記憶された化学物質の排出量及び含有量の測定データから、測定対象毎に報告書作成に必要な月間の最大値を抽出することができるように構成してある。また、最大値抽出手段３は、測定対象毎に月間の最大値の測定時における発電プラントの出力を抽出することができるようにしてある。
平均値算出手段７は、測定対象毎に所定の期間内における化学物質の排出量及び含有量の平均値を算出することができるようにしてある。
【００２１】
図２に示すように、報告書作成手段４は、最大値抽出手段３で抽出した化学物質の排出量及び含有量の月間の最大値と、最大値の測定日と、最大値の測定時における発電プラントの出力を記載した報告書を自動的に作成することができるように構成してある。また、報告書作成手段４は、平均値の報告が必要な測定対象について、平均値算出手段７で算出した化学物質の排出量及び含有量の平均値を報告書に記載することができるようにしてある。
【００２２】
図１に示す実施例において、報告書出力手段５は、報告書を測定対象に対応した様式で出力することができるように構成してある。また、報告書出力手段５は、自治体との協定により測定対象毎に定められた様式を、ユニット計算機１０に接続された端末において作成することができるようにしてある。
【００２３】
図１に示す実施例において、報告書提示手段７は、ユニット計算機１０にネットワークを介して接続された承認者端末８に、報告書作成手段４で作成された報告書を提示することができるようにしてある。承認受付手段９は、報告書提示手段７で承認者端末８に提示した報告書について、ネットワークを介して承認者の承認を受け付けることができるように構成してある。承認受付手段９が承認者全員の承認を受け付けると、報告書出力手段５が報告書を出力するようにしてある。
【００２４】
なお、本発明に係る報告書自動作成システムは、実施例のように発電プラントに限らず、化学プラント、製鉄プラント等の各種プラントに使用することが可能である。また、化学物質測定手段１は、排ガス又は排水に含まれる化学物質の中から任意の化学物質の排出量又は含有量を測定することができ、化学物質の排出量と含有量の両方を測定することも勿論可能である。
【図面の簡単な説明】
【００２５】
【図１】本発明報告書自動作成システムの一実施例を示す構成図。
【図２】本発明報告書自動作成システムの出力例を示す図。
【符号の説明】
【００２６】
１  化学物質測定手段
２  記憶手段
３  最大値抽出手段
４  報告書作成手段
５  報告書出力手段
６  平均値算出手段
７  報告書提示手段
８  承認者端末
９  承認受付手段
１０  ユニット計算機
１１  排ガス測定装置
１２  排水測定装置
【図１】
2007034453.tif 000003
【図２】
2007034453.tif 000004